(57)【要約】  【課題】  光源からの光束を複数の感光体それぞれの感光面に対して主走査方向に走査する光走査装置において、省スペース化および低コスト化を図りつつ、光走査処理の高速化および走査光のピッチの均一化を実現することのできる技術を提供する。  【解決手段】  光源からの光束を複数の感光体それぞれの感光面に対して主走査方向に走査可能な光走査装置であって、前記主走査方向と直交する副走査方向において互いに異なる位置に配置されるとともに、それぞれが独立に点滅可能な複数の光源と、前記光源からの光束を所定の断面形状となるように整形する偏向前光学系と、前記偏向前光学系にて整形された光束を、回転方向に前記複数の感光体それぞれに対応して複数配列された反射面によって反射偏向させることにより、該光束を前記主走査方向に走査させる回転偏向器であって、前記複数の反射面それぞれの前記回転偏向器の回転軸に対する傾斜角度が、各反射面が対応付けられている感光体に応じた角度に設定されている回転偏向器とを備えてなる。  【選択図】  図２
2007322876.tif 000002
【特許請求の範囲】
【請求項１】
光源からの光束を複数の感光体それぞれの感光面に対して主走査方向に走査可能な光走査装置であって、
前記主走査方向と直交する副走査方向において互いに異なる位置に配置されるとともに、それぞれが独立に点滅可能な複数の光源と、
前記光源からの光束を所定の断面形状となるように整形する偏向前光学系と、
前記偏向前光学系にて整形された光束を、回転方向に前記複数の感光体それぞれに対応して複数配列された反射面によって反射偏向させることにより、該光束を前記主走査方向に走査させる回転偏向器であって、前記複数の反射面それぞれの前記回転偏向器の回転軸に対する傾斜角度が、各反射面が対応付けられている感光体に応じた角度に設定されている回転偏向器と
を備えてなる光走査装置。
【請求項２】
請求項１に記載の光走査装置において、
前記偏向前光学系は、光源からの光を所定の断面形状の光束となるように整形して前記回転偏向器に向けて導くとともに、該回転偏向器の反射面近傍で副走査方向に光束を集光させる光走査装置。
【請求項３】
請求項２に記載の光走査装置において、
前記偏向前光学系は、前記回転偏向器の反射面よりも光束進行方向上流側の位置で副走査方向に前記複数の光源からの光束を交差させる光走査装置。
【請求項４】
請求項１に記載の光走査装置において、
前記回転偏向器における複数の反射面それぞれにより反射偏向される光束を、各反射面に対応する感光体の感光面に導く偏向後光学系を備え、
前記偏向後光学系は、前記回転偏向器にて反射偏向され前記複数の感光体それぞれに導かれるべき光束に対して、該光束の入射位置に応じて、前記偏向後光学系により前記感光面に導かれる光束が該感光面上において所定の光学特性となるようなパワーを与える共有光学素子を含む光走査装置。
【請求項５】
請求項４に記載の光走査装置において、
前記所定の光学特性は、光束のビーム径、走査線の曲がり方の度合および走査範囲に対する光束の位置のうち少なくともいずれかである光走査装置。
【請求項６】
請求項４に記載の光走査装置において、
前記共有光学素子の前記回転偏向器側の焦点が、前記共有光学素子の光軸方向において前記回転偏向器の反射面よりも該回転偏向器の回転軸が配置されている側に位置する光走査装置。
【請求項７】
請求項４に記載の光走査装置において、
前記共有光学素子の副走査方向におけるパワーは、主走査方向における中央位置から外側に離れるほど強くなるように設定されている光走査装置。
【請求項８】
請求項４に記載の光走査装置において、
前記共有光学素子の副走査方向におけるパワーは、副走査方向における中央位置から外側に離れるほど弱くなるように設定されている光走査装置。
【請求項９】
請求項４に記載の光走査装置において、
前記共有光学素子は、光軸方向に配列される複数のレンズからなり、
前記複数のレンズのうち少なくともいずれかのレンズにおける、少なくともいずれかのレンズ面が、前記回転偏向器にて反射偏向され前記複数の感光体それぞれに導かれるべき光束に対して、該光束の入射位置に応じて、前記偏向後光学系により前記感光面に導かれる光束が該感光面上において所定の光学特性となるようなパワーを与える光走査装置。
【請求項１０】
請求項１乃至請求項９の内いずれか１項に記載の光走査装置と、
前記光走査装置によって走査される光束により静電潜像が形成される感光体と、
前記感光体上に形成された静電潜像を顕像化させる現像部と
を備えてなる画像形成装置。
【請求項１１】
光源からの光束を複数の感光体それぞれの感光面に対して主走査方向に走査させる光走査方法であって、
前記主走査方向と直交する副走査方向において互いに異なる位置に配置されるとともに、それぞれが独立に点滅可能な複数の光源からの光束を所定の断面形状となるように整形し、
回転方向に前記複数の感光体それぞれに対応して複数の反射面が配列された回転偏向器における該複数の反射面それぞれの前記回転偏向器の回転軸に対する傾斜角度が、各反射面が対応付けられている感光体に応じた角度に設定されている回転偏向器によって、該整形された光束を反射偏向させることにより、該光束を前記主走査方向に走査させる光走査方法。
【発明の詳細な説明】
【技術分野】
【０００１】
本発明は、光源からの光束を複数の感光体それぞれの感光面に対して主走査方向に走査する光走査装置に関し、特に、光学系の配置スペースの削減および走査光の光学特性の向上を実現する技術に関するものである。
【背景技術】
【０００２】
従来、光源からの光束を複数の感光体それぞれの感光面に対して主走査方向に走査する光走査技術に関し、光ビームの照射によって感光体に静電潜像等の画像形成を行う画像形成装置において、複数の感光体に対する光ビームの走査を行う回転偏向器における複数の反射面を、回転軸に対して異なる傾斜角度を持つように設定し、この傾斜角度の異なる反射面毎に、異なる感光体の走査を行わせるものが開示されている（例えば、特許文献１および２参照。）
【０００３】
このような構成の上記従来技術では、各反射面の反射角度が異なるポリゴンミラーを使用することで、一つのポリゴンミラーの回転動作にてレーザビームの走査と光路切り替えの両方の走査が行えるため、部品点数の削減、可動部分の削減による低コスト化、制御動作の簡略化による高精度印刷等を実現することができる。
【０００４】
上記従来技術では、偏向前光学系にシリンダレンズが配されたものもあり（特許文献１参照）、偏向器反射面近傍で副走査方向に集光させ、偏向後光学系では、副走査方向に偏向器反射面と像面をほぼ共役な関係として面倒れ補正機能を持たせていると考えられる。一方、偏向前光学系にシリンダレンズを含んでいない構成もあり、このような構成においては偏向後光学系は面倒れ補正機能を持たないと考えられる（例えば、特許文献２および特許文献３参照）。
【特許文献１】特開２０００−２８４６号公報
【特許文献２】特開平１１−２１８９９１号公報
【特許文献３】特開昭６３−２７３８１４号公報
【発明の開示】
【発明が解決しようとする課題】
【０００５】
上述のような従来の光走査技術では、それぞれが異なる色の現像剤を担持する複数の感光体に対して、複数の感光体それぞれに対して光源を１つずつ配置し、これら複数の光源によって潜像を形成する構成が知られるが、このような構成は光学系を配置するために広いスペースを要し、省スペース化および低コスト化の観点から好ましくない。
【０００６】
一方、１つのＬＤを、複数の感光体に対して潜像を形成する光源として用いる構成も知られるが、このような構成の場合、上記のように各感光体に対応して光源を１つずつ用意する構成に比べ、ポリゴンミラーの回転数やＬＤの駆動周波数を上昇させる必要があり、高速化や高精細化が困難であった。
【０００７】
本発明は上述した問題点を解決するためになされたものであり、光源からの光束を複数の感光体それぞれの感光面に対して主走査方向に走査する光走査装置において、省スペース化および低コスト化を図りつつ、光走査処理の高速化および走査光のピッチの均一化を実現することのできる技術を提供することを目的とする。
【課題を解決するための手段】
【０００８】
上述した課題を解決するため、本発明に係る光走査装置は、光源からの光束を複数の感光体それぞれの感光面に対して主走査方向に走査可能な光走査装置であって、前記主走査方向と直交する副走査方向において互いに異なる位置に配置されるとともに、それぞれが独立に点滅可能な複数の光源と、前記光源からの光束を所定の断面形状となるように整形する偏向前光学系と、前記偏向前光学系にて整形された光束を、回転方向に前記複数の感光体それぞれに対応して複数配列された反射面によって反射偏向させることにより、該光束を前記主走査方向に走査させる回転偏向器であって、前記複数の反射面それぞれの前記回転偏向器の回転軸に対する傾斜角度が、各反射面が対応付けられている感光体に応じた角度に設定されている回転偏向器とを備えてなることを特徴とするものである。
【０００９】
また、本発明に係る画像形成装置は、上述のような構成の光走査装置と、前記光走査装置によって走査される光束により静電潜像が形成される感光体と、前記感光体上に形成された静電潜像を顕像化させる現像部とを備えてなることを特徴とするものである。
【００１０】
また、本発明に係る光走査方法は、光源からの光束を複数の感光体それぞれの感光面に対して主走査方向に走査させる光走査方法であって、前記主走査方向と直交する副走査方向において互いに異なる位置に配置されるとともに、それぞれが独立に点滅可能な複数の光源からの光束を所定の断面形状となるように整形し、回転方向に前記複数の感光体それぞれに対応して複数の反射面が配列された回転偏向器における該複数の反射面それぞれの前記回転偏向器の回転軸に対する傾斜角度が、各反射面が対応付けられている感光体に応じた角度に設定されている回転偏向器によって、該整形された光束を反射偏向させることにより、該光束を前記主走査方向に走査させることを特徴とするものである。
【発明の効果】
【００１１】
以上に詳述したように本発明によれば、光源からの光束を複数の感光体それぞれの感光面に対して主走査方向に走査する光走査装置において、省スペース化および低コスト化を図りつつ、光走査処理の高速化および走査光のピッチの均一化を実現することのできる技術を提供することができる。
【発明を実施するための最良の形態】
【００１２】
以下、本発明の実施の形態について図面を参照しつつ説明する。
【００１３】
（第１の実施の形態）
まず、本発明の第１の実施の形態について説明する。図１は本実施の形態による光走査装置の光学系の構成をミラーによる折り返しを展開した状態で示す平面図であり、図２は本実施の形態による光走査装置を備えた画像形成装置９００の概略構成を示す図であり、図３は本実施の形態による光走査装置における光学系での光路を示す図であり、図４および図５は本実施の形態による光走査装置における複数の感光体に導かれる光束の光路をミラーによる折り返しを展開した状態で副走査方向に拡大して示した図である。
【００１４】
図１および図２に示すように、本実施の形態による光走査装置１は、偏向前光学系７、ポリゴンミラー（回転偏向器）８０および偏向後光学系Ａを備えてなる構成となっている。
【００１５】
光走査装置１は、光源からの光束を複数の感光体４０１ｙ〜４０１ｋそれぞれの感光面に対して主走査方向に走査する役割を有しており、光走査装置１により
走査される光束により感光体４０１ｙ〜４０１ｋの感光面に静電潜像が形成される。各感光体上に形成された静電潜像は、現像部５０１ｙ〜５０１ｋにより各感光体に対応する色の現像剤で顕像化される。
【００１６】
以下、本実施の形態による光走査装置１の詳細について説明する。
【００１７】
ポリゴンミラー８０は、回転方向に複数の感光体４０１ｙ〜４０１ｋそれぞれに対応して複数配列された反射面８０ｙ〜８０ｋによって入射光束を反射偏向させることにより、該入射光束を主走査方向に走査させる。また、ポリゴンミラー８０の複数の反射面８０ｙ〜８０ｋそれぞれのポリゴンミラー８０の回転軸に対する傾斜角度は、各反射面が対応付けられている感光体に応じた角度に設定されている。このような構成において、ポリゴンミラー８０の反射面の数は、色数の倍数となる。ここでは、イエロー（４０１ｙ）、マゼンダ（４０１ｍ）、シアン（４０１ｃ）およびブラック（４０１ｋ）の４色を使用するため、ポリゴンミラー８０の反射面の数は４の倍数（４、８、１２、・・・）となる。
【００１８】
偏向前光学系７は、主走査方向と直交する副走査方向（ポリゴンミラーの回転軸方向）において互いに異なる位置に配置されるとともに、それぞれが独立に点滅可能な４つのＬＤからなる光源７１、光源７１からの発散光を収束光、平行光もしくは緩い拡散光とする有限レンズ（またはコリメータレンズ）７２、アパーチャ７３および光束をポリゴンミラー８０近傍で集光させるシリンダレンズ７４を備えてなる。
【００１９】
偏向前光学系７は、このような構成により、光源７１からの光を例えば主走査方向に長い断面形状（所定の断面形状）の光束となるように整形してポリゴンミラー８０に向けて導くとともに、ポリゴンミラー８０の反射面近傍で副走査方向に光束を集光させる。
【００２０】
偏向後光学系Ａは、プラスチック等の樹脂材料から形成され、連続的にパワーが変化するようなパワー分布の自由曲面を有するｆθ１レンズ１１１およびｆθ２レンズ１１２と、各感光体４０１ｙ〜４０１ｋに対応して設けられ、入射面側が凸面となっているシリンダレンズ１２０ｙ〜１２０ｋと、光走査装置内へのゴミや塵が入り込むことを防ぐためのカバーガラス１３０とからなっている。
【００２１】
このような構成により、偏向後光学系Ａは、ポリゴンミラー８０における複数の反射面８０ｙ〜８０ｋそれぞれにより反射偏向される光束Ｌｙ〜Ｌｋを、それぞれ異なる光路で、各反射面に対応する感光体４０１ｙ〜４０１ｋの感光面に導く。本実施の形態では、ポリゴンミラー８０の反射面が８面であるため、ポリゴンミラーに入射される光束が１本の場合、ポリゴンミラー８０が１回転することで４色の色情報を各感光体に書き込むことができる。ここでは光源７１が、それぞれが独立に感光面に静電潜像を形成する４本の光束を出射する、いわゆる「マルチビーム光学系」を採用しているため、ポリゴンミラー８０が１回転することで４色の色情報をそれぞれ８ライン分、各感光体に書き込むことができる。
【００２２】
また、１つのアレイにまとめられた光源を各感光体に対応する原色（ブラック、シアン、マゼンタ、イエロー）の画像形成処理に兼用することにより、光学部品の数を減らし、コストダウンを図るとともに配置スペースの削減を実現することができる。複数の感光体に対して１つのＬＤ等からなる光源で潜像を形成する構成の場合、４色分の潜像を形成するためには、ポリゴンミラーの回転数、ＬＤの駆動周波数を４倍にする必要があり、画像形成処理の高速化や画像の高精細化が困難であったが、本実施の形態ではマルチビーム光学系を採用することにより、ポリゴンミラーの回転数やＬＤの駆動周波数を過剰に上昇させずとも、感光体ドラムへの静電潜像の形成速度を高速化することができる。また、複数のＬＤ等の光源を異なる位置にそれぞれ配置する場合に比べ、光源の配置位置の調整誤差等の発生を回避することができ、光学特性の向上にも寄与することができる。
【００２３】
ｆθ１レンズ１１１およびｆθ２レンズ１１２は、主走査方向と副走査方向の二方向において独立に曲率が変化している。ここでのｆθ１レンズ１１１およびｆθ２レンズ１１２は、共有光学素子に相当するものである。ｆθ１レンズ１１１およびｆθ２レンズ１１２それぞれのパワー分布は、ポリゴンミラー８０にて反射偏向され複数の感光体４０１ｙ〜４０１ｋそれぞれに導かれるべき光束Ｌｙ〜Ｌｋに対して、該光束の入射位置に応じて、偏向後光学系Ａにより感光面に導かれる光束が該感光面上において所定の光学特性（例えば、光束のビーム径、走査線の曲がり方の度合、走査範囲に対する光束の位置などについての所定条件を満たす特性）となるようなパワーを与えるパワー分布に設定されている。このように、共有光学素子は、ポリゴンミラー８０における複数の反射面それぞれにより反射偏向される光束すべてに作用する滑らかなレンズ面を有している。
【００２４】
このように、従来感光体毎に独立に設けられていた光学素子の一部を共有光学素子にまとめて、複数の感光体に導かれるべき全ての光束に対して該共有光学素子によってパワーを与えることで、副走査方向における光学部品の配置スペースの削減に寄与することができる。また、配置すべき光学部品の点数を削減することができるため、各光学部品の配置誤差等に起因する光学特性の劣化を回避することができるとともに、低コスト化にも寄与することができる。
【００２５】
また、感光体毎に独立に設けられていた光学素子の一部を共有光学素子にまとめることで、ポリゴンミラーの各反射面の傾斜角度を小さい角度に設定することが可能となり、光学系の副走査方向における配置スペースを小さくすることができる。また、ポリゴンミラーの反射面の傾斜角度が大きい場合に発生する非対称型の波面収差の発生を抑制することができ、ひいては結像特性の改善も実現することができる。さらに、このような構成の光走査装置を画像形成装置に適用することにより、画像形成装置のコンパクト化および画像形成処理における画質の安定化に寄与することが可能となる。
【００２６】
なお、ここでの「所定の光学特性」とは、感光体の感光面上に静電潜像を形成する上で望ましい光学特性を意味している。また、偏向前光学系からのポリゴンミラーへの入射光束を反射面近傍で集光させる（ポリゴンミラーの反射面上と感光体の感光面上とで副走査方向において共役な関係にする）構成とすることにより、ポリゴンミラーの各反射面の傾斜に起因する副走査方向におけるビーム位置のずれを抑制している（面倒れ補正）。
【００２７】
また、本実施の形態におけるｆθ１レンズ１１１およびｆθ２レンズ１１２（共有光学素子）は、ポリゴンミラー側の副走査方向における合成焦点位置が、ｆθ１レンズ１１１およびｆθ２レンズ１１２の光軸方向においてポリゴンミラー８０の反射面８０ｙ〜８０ｋよりもポリゴンミラー８０の回転軸が配置されている側に位置するようなパワー配分に設定されている。図４に、ｆθ１レンズ１１１およびｆθ２レンズ１１２のポリゴンミラー側の副走査方向における合成焦点位置を含む焦平面ＦＳを示す。なお、図４および図５において、点線は、偏向前光学系からの光束が入射する側（振り角最小値時）の光線およびその光線に作用するレンズ断面、実線は、走査光の振り角位置が主走査方向における中央位置にあるときの光線およびその光線に作用するレンズ断面、２点鎖線は、走査範囲における偏向前光学系と近接しない側（振り角最大値時）の光線およびその光線に作用するレンズ断面を示している。図５では、ｆθ１レンズ１１１およびｆθ２レンズ１１２近傍を拡大表示している。
【００２８】
ポリゴンミラーの反射面の副走査方向に対する傾斜角度が大きくなると、結像特性が劣化する傾向があることが、最適化の結果判った。このため、小さな傾き角でも、光路分離ミラーで光路を分離するのに十分な副走査方向距離を得る為、ｆθ１レンズおよびｆθ２レンズを通った後の光路下流側でも、副走査方向にそれぞれの光束が離れていくように（共有光学素子を経た光束が拡がりながら進行するように）、上述のような焦点位置としている。このような焦平面位置にｆθ１レンズ１１１およびｆθ２レンズ１１２のポリゴンミラー側の副走査方向における合成焦点位置を設定することにより、折り返しミラー等を配置するスペースを確保することができる。図６はｆθ１レンズ１１１の副走査方向におけるパワー分布の一例を示す図であり、図７はｆθ２レンズ１１２の副走査方向におけるパワー分布の一例を示す図である。
【００２９】
また、偏向前光学系７は、光源７１からの光を主走査方向に長い断面形状の光束となるように整形してポリゴンミラー８０に向けて導くとともに、ポリゴンミラー８０の反射面８０ｙ〜８０ｋよりも光束進行方向上流側の位置で副走査方向に複数の光源からの光束を交差させるようになっている。
【００３０】
図８〜図１１は、本実施の形態における、複数の光源の内の副走査方向における両端に位置する光源（ここでは第１番目の光源と第４番目の光源）の光束の主光線の間隔（以下、主光線間距離と呼ぶ）（縦軸）と、光軸方向における位置（横軸）との関係を示す図である。図８〜図１１において、位置Ｐはｆθ２レンズ１１２の出射面位置を示し、横軸における「０」はポリゴンミラー８０の反射面位置を示している。ここで、図８は図４における一番上の位置に偏向された光束Ｌｙについて、図９は図４における上から２番目の位置に偏向された光束Ｌｍについて、図１０は図４における上から３番目の位置に偏向された光束Ｌｃについて、図１１は図４における一番下の位置に偏向された光束Ｌｋについて示している。
【００３１】
図８〜図１１に示すように、反射面８０ｙ〜８０ｋよりも光束進行方向上流側の位置で副走査方向に複数の光源からの光束を交差させる構成によれば、ｆθ１レンズ１１１およびｆθ２レンズ１１２を通過した後の主光線間距離は徐々に縮まる方向に変化しており、像面位置近傍ではｆθレンズの主走査方向における中央位置を通過する光束における主光線間距離を示すグラフは右肩上がりとなり、ｆθレンズの主走査方向における両端位置を通過する光束における主光線間距離を示すグラフは右肩下がりとなっている。図８〜図１１に示すような関係で、ｆθレンズ通過後の主光線間距離をバランスさせることにより、感光面上における光束を画像形成に適した光学特性にすることができ、感光体の形状誤差、回転軸のずれ（傾斜、偏心など）、磨耗等により感光面の位置が感光体の回転に伴なって光軸方向に変動してしまう場合でも、感光面上におけるビームピッチの変動を抑制することができる。
【００３２】
光束がｆθ１レンズ１１１およびｆθ２レンズ１１２を通過した後は、最終シリンダレンズを通って結像した後での、光軸方向に対するビーム間ピッチ変化量が大きくならないよう、光路下流に行くに従って複数のビーム間の間隔が所望のビーム間ピッチに近づくようにしている。これは、カラー機の場合、感光体上での走査線傾き、もしくは、感光体の傾きによる転写像の傾きを補正する為、折り返しミラーに傾き機構を設けて制御したり、感光体径のばらつきの影響により、発生する光路長の変化が起こった際のビーム間ピッチのズレ発生を抑えたりする場合に有効である。
【００３３】
なお、ｆθ１レンズ１１１およびｆθ２レンズ１１２（共有光学素子）の副走査方向におけるパワーは、主走査方向における中央位置から外側に離れるほど強くなるように設定されている（図６および図７参照）。
【００３４】
光束進行方向におけるｆθ２レンズ１１２よりも下流側に位置するシリンダレンズ１２０での実効焦点距離は、主走査方向における光束の入射角が大きくなるほど短くなる。よって、１つの潜像を形成するビーム群の像面でのビーム間ピッチを一定に保つため、主走査方向入射角が大きくなる（振り角が大きい）時のｆθレンズでの副走査方向パワーを大きくし、シリンダレンズ１２０での光軸に対する高さをできるだけ小さくすることにより、角度変化量を小さくして（シリンドリカルレンズの入射面に入射する光束の副走査方向における位置ずれを低減して）、最終的に像面で一定のビーム間ピッチを保つようにしている。
【００３５】
また、ｆθ１レンズ１１１およびｆθ２レンズ１１２の副走査方向におけるパワーは、副走査方向における中央位置から外側に離れるほど弱くなるように設定されている（図６および図７参照）。
【００３６】
共有光学素子を通過する光束は、共有光学素子を副走査方向におけるどの位置で通過するかにより光路長が異なる。本実施の形態の構成によれば、副走査方向における通過位置が互いに異なる光束が光路の下流側に位置する光学素子に到達する際のビーム径（集光位置）をほぼ同じにすることができ、副走査方向における通過位置に依存する光学特性のばらつきを抑えることができる。図４からもわかるように、外側の光線ほど、副走査方向に傾きが大きくなっており、実質の光路長が長くなっている。
【００３７】
図１２は、カラー画像形成装置に備えられた従来の光走査装置の光学系配置の一例を示す図である。同図に示すような、偏向前光学系を構成する有限レンズ７２Ｊ、アパーチャ７３Ｊ、シリンダレンズ７４Ｊを感光体ドラムの数分だけ配置している従来の光走査装置に比べ、図１に示す本実施の形態による光走査装置の構成が省スペース化および低コスト化に寄与していることがわかる。
【００３８】
なお、本実施の形態では、共有光学素子が２枚のｆθレンズから構成されている例を示したが、これに限られるものではなく、例えば３枚以上のレンズによって構成することもできる。このように複数のレンズによって上記共有光学素子を構成することにより、一枚のレンズで構成する場合に比して、それぞれのレンズのレンズ面の曲率を緩く設定することができ、加工が容易となり、製造コストの低下および加工精度の向上に寄与することができる。
【００３９】
また、本実施の形態では、共有光学素子を構成するｆθ１レンズおよびｆθ２レンズそれぞれの入射面および出射面の両方について、連続的に変化するパワー分布としているが、必ずしも共有光学素子の全てのレンズ面に対してこのようなパワー分布を設定する必要はない（これについての詳細は後述）。
【００４０】
（第２の実施の形態）
続いて、本発明の第２の実施の形態について説明する。本実施の形態は、上述した第１の実施の形態の変形例であり、特にｆθレンズ付近の構成が第１の実施の形態とは異なっている。以下、第１の実施の形態においてすでに述べた部分と同一の部分には同一符号を付し、説明は割愛する。
【００４１】
図１３は本実施の形態による光走査装置における光学系での光路を示す平面図であり、図１４は本実施の形態による光走査装置における複数の感光体に導かれる光束の光路をミラーによる折り返しを展開した状態で副走査方向に拡大して示した図であり、図１５は図１４におけるｆθレンズ近傍を拡大した図である。図１４および図１５において、点線は、偏向前光学系からの光束が入射する側（振り角最小値時）の光線およびその光線に作用するレンズ断面、実線は、走査光の振り角位置が主走査方向における中央位置にあるときの光線およびその光線に作用するレンズ断面、２点鎖線は、走査範囲における偏向前光学系と近接しない側（振り角最大値時）の光線およびその光線に作用するレンズ断面を示している。
【００４２】
本実施の形態では、第１の実施の形態におけるｆθ１レンズ１１１およびｆθ２レンズ１１２が１つのｆθレンズ１１０’ （共有光学素子）にまとめられている。これにより、第１の実施の形態の構成に比して光学系の部品点数を削減することができ、低コスト化に寄与することができる。
【００４３】
図１６〜図１９は、本実施の形態における、複数の光源の内の副走査方向における両端に位置する光源（ここでは第１番目の光源と第４番目の光源）の光束の主光線の間隔（以下、主光線間距離と呼ぶ）（縦軸）と、光軸方向における位置（横軸）との関係を示す図である。図１６〜図１９において、位置Ｐはｆθ２レンズ１１０’の出射面位置を示し、横軸における「０」はポリゴンミラー８０の反射面位置を示している。ここで、図１６は図１４における一番上の位置に偏向された光束Ｌｙについて、図１７は図１４における上から２番目の位置に偏向された光束Ｌｍについて、図１８は図１４における上から３番目の位置に偏向された光束Ｌｃについて、図１９は図１４における一番下の位置に偏向された光束Ｌｋについて示している。
【００４４】
図２０は、本実施の形態におけるｆθレンズ１１０’の副走査方向におけるパワー分布を示す図である。図２１は、本実施の形態におけるシリンダレンズ１２０ｙの入射面への副走査方向における光線入射位置を示す図である。同図に示すように、主走査方向におけるプラス側では、走査光の振り角が大きい時のｆθレンズでの副走査方向パワーを大きくすることにより、主走査方向における走査光の振り角に依存するシリンダレンズへの副走査方向における光線入射位置のバラツキを抑えることができていることがわかる。
【００４５】
（第３の実施の形態）
続いて、本発明の第３の実施の形態について説明する。本実施の形態は、上述した第２の実施の形態の変形例であり、特にｆθレンズを通過した後の光束に作用する光学系の構成が第２の実施の形態とは異なっている。以下、第２の実施の形態においてすでに述べた部分と同一の部分には同一符号を付し、説明は割愛する。
【００４６】
具体的に、本実施の形態では、第２の実施の形態の構成におけるシリンダレンズ１２０ｙ〜１２０ｋに換えて、入射面側が凹面であるシリンダミラー１４０ｙ〜１４０ｋを採用している。
【００４７】
図２２は本実施の形態による光走査装置の光学系の構成をミラーによる折り返しを展開した状態で示す平面図であり、図２３は本実施の形態による光走査装置を備えた画像形成装置９００’の概略構成を示す図であり、図２４は本実施の形態による光走査装置における光学系での光路をミラーによる折り返しを展開した状態で示す平面図であり、図２５は本実施の形態による光走査装置における複数の感光体に導かれる光束の光路をミラーによる折り返しを展開した状態で副走査方向に拡大して示した図であり、図２６は図２５におけるｆθレンズ近傍を拡大した図である。
【００４８】
図２７〜図３０は、本実施の形態における、複数の光源の内の副走査方向における両端に位置する光源（ここでは第１番目の光源と第４番目の光源）の光束の主光線の間隔（以下、主光線間距離と呼ぶ）（縦軸）と、光軸方向における位置（横軸）との関係を示す図である。図２７〜図３０において、位置Ｐはｆθレンズ１１０’の出射面位置を示し、横軸における「０」はポリゴンミラー８０の反射面位置を示している。ここで、図２７は図２６における一番上の位置に偏向された光束Ｌｙについて、図２８は図２６における上から２番目の位置に偏向された光束Ｌｍについて、図２９は図２６における上から３番目の位置に偏向された光束Ｌｃについて、図３０は図２６における一番下の位置に偏向された光束Ｌｋについて示している。図３１は、本実施の形態におけるｆθレンズ１１０’の副走査方向におけるパワー分布を示す図である。
【００４９】
（第４の実施の形態）
続いて、本発明の第４の実施の形態について説明する。本実施の形態は、上述した第１の実施の形態の変形例であり、特にｆθレンズを通過した後の光束に作用する光学系の構成が第１の実施の形態とは異なっている。以下、第１の実施の形態においてすでに述べた部分と同一の部分には同一符号を付し、説明は割愛する。
【００５０】
具体的に、本実施の形態では、第１の実施の形態の構成におけるシリンダレンズ１２０ｙ〜１２０ｋに換えて、入射面が凹面であるシリンダミラー１４０ｙ〜１４０ｋを採用している。
【００５１】
図３２は本実施の形態による光走査装置における光学系での光路をミラーによる折り返しを展開した状態で示す図であり、図３３は本実施の形態による光走査装置における複数の感光体に導かれる光束の光路を折り返しミラーによる折り返しを展開した状態で副走査方向に拡大して示した図であり、図３４は図３３におけるｆθレンズ近傍を拡大した図である。
【００５２】
図３５〜図３８は、本実施の形態における、複数の光源の内の副走査方向における両端に位置する光源（ここでは第１番目の光源と第４番目の光源）の光束の主光線の間隔（以下、主光線間距離と呼ぶ）（縦軸）と、光軸方向における位置（横軸）との関係を示す図である。図３５〜図３８において、位置Ｐはｆθ２レンズ１１２の出射面位置を示し、横軸における「０」はポリゴンミラー８０の反射面位置を示している。ここで、図３５は図３３における一番上の位置に偏向された光束Ｌｙについて、図３６は図３３における上から２番目の位置に偏向された光束Ｌｍについて、図３７は図３３における上から３番目の位置に偏向された光束Ｌｃについて、図３８は図３３における一番下の位置に偏向された光束Ｌｋについて示している。図３９は本実施の形態におけるｆθ１レンズ１１１の副走査方向におけるパワー分布を示す図であり、図４０は本実施の形態におけるｆθ２レンズ１１２の副走査方向におけるパワー分布を示す図である。
【００５３】
図４１は、本実施の形態において、ｆθ１レンズおよびｆθ２レンズにおけるどのレンズ面に対して、複数の感光体に導かれる全ての光束に作用するパワーをもつ自由曲面を形成すべきかについての検討結果を示す図である。図４１において、一番上は全部のレンズ面の曲率を変化させた場合を示しており、他は２つのレンズ面の曲率を変化させた場合を示しており、評価関数の小さい順に並べている。評価関数は、各光学特性の、目標とする光学特性からの差に重みを掛けた値の二乗の和であり、小さいことが望ましい。同図に示す結果より、本実施の形態にて示すような共有光学素子を採用する場合、２つのレンズ面の曲率を変化させる場合には、ポリゴンミラー側のレンズ面の曲率を変化させる構成が最も良好な光学特性となることがわかる。
【００５４】
本発明を特定の態様により詳細に説明したが、本発明の精神および範囲を逸脱しないかぎり、様々な変更および改質がなされ得ることは、当業者には自明であろう。
【図面の簡単な説明】
【００５５】
【図１】本発明の第１の実施の形態による光走査装置の光学系の構成をミラーによる折り返しを展開した状態で示す平面図である。
【図２】本実施の形態による光走査装置を備えた画像形成装置の概略構成を示す図である。
【図３】本実施の形態による光走査装置における光学系での光路を示す図である。
【図４】本実施の形態による光走査装置における複数の感光体に導かれる光束の光路をミラーによる折り返しを展開した状態で副走査方向に拡大して示した図である。
【図５】本実施の形態による光走査装置における複数の感光体に導かれる光束の光路をミラーによる折り返しを展開した状態で副走査方向に拡大して示した図である。
【図６】ｆθ１レンズ１１１の副走査方向におけるパワー分布の一例を示す図である。
【図７】ｆθ２レンズ１１２の副走査方向におけるパワー分布の一例を示す図である。
【図８】複数の光源の内の副走査方向における両端に位置する光源の光束の主光線の間隔と、光軸方向における位置との関係を示す図である。
【図９】複数の光源の内の副走査方向における両端に位置する光源の光束の主光線の間隔と、光軸方向における位置との関係を示す図である。
【図１０】複数の光源の内の副走査方向における両端に位置する光源の光束の主光線の間隔と、光軸方向における位置との関係を示す図である。
【図１１】複数の光源の内の副走査方向における両端に位置する光源の光束の主光線の間隔と、光軸方向における位置との関係を示す図である。
【図１２】カラー画像形成装置に備えられた従来の光走査装置の光学系配置の一例を示す図である。
【図１３】本発明の第２の実施の形態による光走査装置における光学系での光路を示す図である。
【図１４】本実施の形態による光走査装置における複数の感光体に導かれる光束の光路をミラーによる折り返しを展開した状態で副走査方向に拡大して示した図である。
【図１５】図１４におけるｆθレンズ近傍を拡大した図である。
【図１６】本実施の形態における、複数の光源の内の副走査方向における両端に位置する光源の光束の主光線の間隔と、光軸方向における位置との関係を示す図である。
【図１７】本実施の形態における、複数の光源の内の副走査方向における両端に位置する光源の光束の主光線の間隔と、光軸方向における位置との関係を示す図である。
【図１８】本実施の形態における、複数の光源の内の副走査方向における両端に位置する光源の光束の主光線の間隔と、光軸方向における位置との関係を示す図である。
【図１９】本実施の形態における、複数の光源の内の副走査方向における両端に位置する光源の光束の主光線の間隔と、光軸方向における位置との関係を示す図である。
【図２０】本実施の形態におけるｆθレンズ１１０’の副走査方向におけるパワー分布を示す図である。
【図２１】本実施の形態におけるシリンダレンズ１２０ｙの入射面への副走査方向における光線入射位置を示す図である。
【図２２】本発明の第３の実施の形態による光走査装置の光学系の構成をミラーによる折り返しを展開した状態で示す平面図である。
【図２３】本実施の形態による光走査装置を備えた画像形成装置９００の概略構成を示す図である。
【図２４】本実施の形態による光走査装置における光学系での光路をミラーによる折り返しを展開した状態で示す図である。
【図２５】本実施の形態による光走査装置における複数の感光体に導かれる光束の光路をミラーによる折り返しを展開した状態で副走査方向に拡大して示した図である。
【図２６】図２５におけるｆθレンズ近傍を拡大した図である。
【図２７】本実施の形態における、複数の光源の内の副走査方向における両端に位置する光源の光束の主光線の間隔（縦軸）と、光軸方向における位置（横軸）との関係を示す図である。
【図２８】本実施の形態における、複数の光源の内の副走査方向における両端に位置する光源の光束の主光線の間隔（縦軸）と、光軸方向における位置（横軸）との関係を示す図である。
【図２９】本実施の形態における、複数の光源の内の副走査方向における両端に位置する光源の光束の主光線の間隔（縦軸）と、光軸方向における位置（横軸）との関係を示す図である。
【図３０】本実施の形態における、複数の光源の内の副走査方向における両端に位置する光源の光束の主光線の間隔（縦軸）と、光軸方向における位置（横軸）との関係を示す図である。
【図３１】本実施の形態におけるｆθレンズ１１０’の副走査方向におけるパワー分布を示す図である。
【図３２】本発明の第４の実施の形態による光走査装置における光学系での光路をミラーによる折り返しを展開した状態で示す図である。
【図３３】本実施の形態による光走査装置における複数の感光体に導かれる光束の光路を折り返しミラーによる折り返しを展開した状態で副走査方向に拡大して示した図である。
【図３４】図３３におけるｆθレンズ近傍を拡大した図である。
【図３５】本実施の形態における、複数の光源の内の副走査方向における両端に位置する光源の光束の主光線の間隔（縦軸）と、光軸方向における位置（横軸）との関係を示す図である。
【図３６】本実施の形態における、複数の光源の内の副走査方向における両端に位置する光源の光束の主光線の間隔（縦軸）と、光軸方向における位置（横軸）との関係を示す図である。
【図３７】本実施の形態における、複数の光源の内の副走査方向における両端に位置する光源の光束の主光線の間隔（縦軸）と、光軸方向における位置（横軸）との関係を示す図である。
【図３８】本実施の形態における、複数の光源の内の副走査方向における両端に位置する光源の光束の主光線の間隔（縦軸）と、光軸方向における位置（横軸）との関係を示す図である。
【図３９】本実施の形態におけるｆθ１レンズ１１１の副走査方向におけるパワー分布を示す図である。
【図４０】本実施の形態におけるｆθ２レンズ１１２の副走査方向におけるパワー分布を示す図である。
【図４１】本実施の形態において、ｆθ１レンズおよびｆθ２レンズにおけるどのレンズ面に対して、複数の感光体に導かれる全ての光束に作用するパワーをもつ自由曲面を形成すべきかについての検討結果を示す図である。
【符号の説明】
【００５６】
７  偏向前光学系、８０  ポリゴンミラー、１１０  ｆθレンズ、１１１  ｆθ１レンズ、１１２  ｆθ２レンズ、１２０ｙ〜１２０ｋ  シリンダレンズ、１４０ｙ〜１４０ｋ  シリンダミラー。
【図１】
2007322876.tif 000003
【図２】
2007322876.tif 000004
【図３】
2007322876.tif 000005
【図４】
2007322876.tif 000006
【図５】
2007322876.tif 000007
【図６】
2007322876.tif 000008
【図７】
2007322876.tif 000009
【図８】
2007322876.tif 000010
【図９】
2007322876.tif 000011
【図１０】
2007322876.tif 000012
【図１１】
2007322876.tif 000013
【図１２】
2007322876.tif 000014
【図１３】
2007322876.tif 000015
【図１４】
2007322876.tif 000016
【図１５】
2007322876.tif 000017
【図１６】
2007322876.tif 000018
【図１７】
2007322876.tif 000019
【図１８】
2007322876.tif 000020
【図１９】
2007322876.tif 000021
【図２０】
2007322876.tif 000022
【図２１】
2007322876.tif 000023
【図２２】
2007322876.tif 000024
【図２３】
2007322876.tif 000025
【図２４】
2007322876.tif 000026
【図２５】
2007322876.tif 000027
【図２６】
2007322876.tif 000028
【図２７】
2007322876.tif 000029
【図２８】
2007322876.tif 000030
【図２９】
2007322876.tif 000031
【図３０】
2007322876.tif 000032
【図３１】
2007322876.tif 000033
【図３２】
2007322876.tif 000034
【図３３】
2007322876.tif 000035
【図３４】
2007322876.tif 000036
【図３５】
2007322876.tif 000037
【図３６】
2007322876.tif 000038
【図３７】
2007322876.tif 000039
【図３８】
2007322876.tif 000040
【図３９】
2007322876.tif 000041
【図４０】
2007322876.tif 000042
【図４１】
2007322876.tif 000043